(57)【要約】【課題】消費者の要求を満たすシャツを手間が掛からず安価に製造できるシャツの製造方法を提供する。【解決手段】首、肩幅、脇、身幅、腰、裾丈及び裾幅のサイズが標準品と同じであると共に袖部２の袖丈が標準品よりも長い、長くした袖を備えるシャツ１を用意する。次に、袖部２の袖丈を測って所望の袖丈を決定し、決定した袖丈＋２０ｍｍ＋７ｍｍの長さとなるように袖部２を切断する。そして、切断して得られた袖部２の袖口を、半袖の袖口のように内側に２度折り曲げて直線縫いして仕上げる。【選択図】図１
2009256845.tif 000002
【特許請求の範囲】
【請求項１】
長袖以上の袖丈の袖部を有するシャツの同袖部を切断して袖丈を短くする切断工程と、
該切断工程によって得られた袖部の袖口を折り曲げて仕上げる仕上工程とを備える
シャツの製造方法。
【請求項２】
前記仕上工程において、前記袖部の袖口を内側に２度折り曲げて直線縫いする
請求項１に記載のシャツの製造方法。
【請求項３】
前記仕上工程において、前記袖部の袖口を外側に２度折り曲げた後、内側に１度折り曲げて両端を直線縫いする
請求項１に記載のシャツの製造方法。
【発明の詳細な説明】
【技術分野】
【０００１】
本発明はシャツの製造方法に関する。詳しくは、半袖や長袖など様々な長さの袖丈を有するシャツを簡便に製造できるシャツの製造方法に係るものである。
【背景技術】
【０００２】
体型は人によって異なるため、衣服を作製する場合にはオーダーメイドで作成することが好ましいが、オーダーメイドで衣服を作製するためには、採寸、型紙作成、仮縫い、試着といった手間と時間と費用が掛かると共に、熟練縫製技術者が減少しているため、あまりオーダーメイドで衣服を作製することはなされていないのが現状である。
【０００３】
しかし、市販されている衣服は当然ながら完全に消費者の要望を満たして体に合ったものではなく、手間と時間と費用が掛かる点を解決できるのであれば、衣服に対するオーダーメイドの要望は高いと考えられる。
【０００４】
そこで、できるだけ衣服を、手間を掛けずに安価にしかも消費者の要求を満たすように作製するために、いくつかの提案がなされている。例えば特許文献１には、インターネットを用いて仮想試着ができ、アドバイザー端末によるアドバイスを受けることができるシステムが記載されている。
【０００５】
【特許文献１】特開２００２−７４０８８号公報
【発明の開示】
【発明が解決しようとする課題】
【０００６】
しかし、特許文献１に記載のシステムを用いて消費者が充分に満足する衣服を製造することは困難であった。
ところで、消費者は、袖丈が合わないにもかかわらず好みのデザイン形状であるという理由で市販の衣服例えばシャツを購入し、そのまま着用しているのが現状である。
また、亜熱帯地域例えば日本の沖縄地域では、日焼けや冷房による冷えを防ぐために、半袖の袖丈と長袖の袖丈の中間程度の袖丈を有するシャツが要望されている。
このように、シャツの特に袖丈に対する要求が強く、消費者の袖丈に対する要求を満たすシャツを、手間が掛からず安価に製造できる方法が要求されていた。
【０００７】
本発明は、以上の点に鑑みて創案されたものであり、消費者の要求を満たすシャツを手間が掛からず安価に製造できるシャツの製造方法を提供することを目的とする。
【課題を解決するための手段】
【０００８】
上記の目的を達成するために、本発明のシャツの製造方法は、長袖以上の袖丈の袖部を有するシャツの同袖部を切断して袖丈を短くする切断工程と、該切断工程によって得られた袖部の袖口を折り曲げて仕上げる仕上工程とを備える。
【０００９】
ここで、長袖以上の袖丈の袖部を有するシャツの袖部を切断して袖丈を短くする切断工程によって、自由に袖丈を決めることができる。
【００１０】
また、本発明のシャツの製造方法において、仕上工程では、袖部の袖口を内側に２度折り曲げて直線縫いすることが好ましい。
また、本発明のシャツの製造方法において、仕上工程では、袖部の袖口を外側に２度折り曲げた後、内側に１度折り曲げて両端を直線縫いすることも好ましい。
【発明の効果】
【００１１】
本発明に係るシャツの製造方法によって、消費者の要求を満たすシャツを手間が掛からず安価に製造できる。
【発明を実施するための最良の形態】
【００１２】
以下、本発明の実施の形態について図面を参照しながら説明し、本発明の理解に供する。
図１は、本発明を適用したシャツの製造方法の一工程例を説明する概略図である。最初に、首、肩幅、脇、身幅、腰、裾丈及び裾幅のサイズが標準品と同じであると共に袖部２の袖丈が標準品よりも長い、長くした袖を備えるシャツ１を用意する（図１（ａ）参照。）。ここで「標準品」とは、シャツの種類毎の大きさや形状を表す型番（Ｓ、Ｍ、Ｌ、ＬＬ等）毎に各部が標準体型に適合するサイズで作製されたシャツを意味する。
また、本発明において切断される袖部は、カフスが付けられていないフリー袖である。
また、本発明において切断される袖部の袖口は、未処理状態のオーバーロック仕上げになっている。なお、切断される前の袖部の袖口にシャツの生地の耳を利用すれば、ファッションの多様化になり、切断することなく無修正でそのまま着用できる。
【００１３】
次に、袖部２の袖丈を測って所望の袖丈を決定し、決定した袖丈＋２０ｍｍ＋７ｍｍの長さとなるように袖部２を切断して袖丈を短くする（図１（ｂ）参照。）。
そして、切断して得られた袖部２の袖口を、半袖の袖口のように内側に２度折り曲げて直線縫いして仕上げる（図１（ｃ）参照。）。即ち、決定した袖丈＋２０ｍｍの長さの位置で、切断して得られた袖口を７ｍｍ内側に折り曲げ、更に決定した袖丈の位置で、切断して得られた袖口を２０ｍｍ内側に折り曲げて直線縫いを行なう。
【００１４】
ここで、変形例の一つとして、決定した袖丈＋６０ｍｍ＋６０ｍｍ＋７ｍｍの長さとなるように袖部２を切断し、切断して得られた袖部の袖口を、外側に２度折り曲げて、最後に内側に折り曲げて両端を直線縫いして仕上ることもできる。即ち、決定した袖丈の位置と、決定した袖丈＋６０ｍｍの長さの位置で、切断して得られた袖口を外側に折り曲げて、そして決定した袖丈＋１２０ｍｍの長さの位置で、切断して得られた袖口を７ｍｍ内側に折り曲げて直線縫いを行なう。
また、決定した袖丈＋６５ｍｍ＋７ｍｍの長さとなるように袖部２を切断すれば、決定した袖丈の位置で、切断して得られた袖口を外側に折り曲げて、そして決定した袖丈＋６５ｍｍの位置で、切断して得られた袖口を７ｍｍ内側に折り曲げて両端を直線縫いすれば袖口がカフス風になる。
また、半袖の袖口のように仕上げやすくする工夫、袖の長さを測りやすくする工夫及び袖部を切断しやすくする工夫を適宜行なってもよい。
【００１５】
図２は、本発明を適用したシャツの製造方法の他の一工程例を説明する概略図である。
図１（ａ）で示したシャツよりも袖丈が短い点以外は図１（ａ）で示したシャツと同じシャツ１を用意する（図２（ａ）参照。）。
次に、決定した袖丈＋２０ｍｍ＋７ｍｍの長さとなるように袖部２を切断する（図２（ｂ）参照。）。
そして、決定した袖丈＋２０ｍｍの長さの位置で、切断して得られた袖口を７ｍｍ内側に折り曲げ、更に決定した袖丈の位置で、切断して得られた袖口を２０ｍｍ内側に折り曲げて直線縫いを行なう。（図２（ｃ）参照。）。これにより５分袖（半袖）〜８分袖のシャツを製造できる。
【００１６】
以上のように、本発明は、長袖以上の袖丈の袖部を有するシャツの袖部を切断して袖丈を短くするので、高度な裁断技術を使うことなく自由に袖丈を決めることができ、また、切断工程によって得られた袖部の袖口を折り曲げて仕上げるので、高度な縫製技術も不要であり、その結果、日焼けや冷房による冷えを防ぐために半袖の袖丈と長袖の袖丈の中間程度の袖丈を有するシャツが欲しいという消費者の要求を満たすシャツを手間が掛からず安価に製造できる。
【００１７】
また、本発明は、自由に袖丈を決めることができるので、ファッションの多様化や個性化に対応したシャツを製造できる。
【００１８】
また、自由に袖丈を決めるために、袖を複数のパーツに分けて、それぞれをボタンやファスナー等で結合して袖丈を調整することも考えられるが、ボタンやファスナー等を縫製して取付ける必要があるため費用が掛かり、また、ファスナー等が地肌に当たって着用者が違和感を覚えてしまう可能性もあり好ましくない。
これに対して本発明は、ボタンやファスナー等を使用せずに自由に袖丈を決めることができるのでこのような不都合はない。
【図面の簡単な説明】
【００１９】
【図１】本発明を適用したシャツの製造方法の一工程例を説明する概略図である。
【図２】本発明を適用したシャツの製造方法の他の一工程例を説明する概略図である。
【符号の説明】
【００２０】
１    シャツ
２    袖部
３    縫い目
【図１】
2009256845.tif 000003
【図２】
2009256845.tif 000004